(57)【要約】【課題】安定した構図の画像を傾けて編集した場合に違和感のない編集画像を作成することができる画像表示装置を提供する。【解決手段】画像を表示する表示部８と、複数の画像データを記憶する記憶部１８と、完成させるコラージュ画像のレイアウトを記憶するレイアウト記憶部１３と、前記記憶部に記憶されている前記複数の画像データの中から前記コラージュ画像を構成する画像データを指定する指定部１２と、前記指定部により指定された画像データに基づく画像を当てはめる前記レイアウトの領域を指定する領域指定部１２と、前記指定部により指定された画像データに基づいて前記領域指定部により指定された前記レイアウトの領域の形状及び画像の傾斜角度に対応する画像データを生成する画像処理部１５と、前記画像処理部により生成された画像データに基づく画像を前記表示部において表示された前記レイアウトの領域に表示させる表示制御部１０とを備える。【選択図】図１
2013131811.tif 000002
【特許請求の範囲】
【請求項１】
画像を表示する表示部と、
複数の画像データを記憶する記憶部と、
完成させるコラージュ画像のレイアウトを記憶するレイアウト記憶部と、
前記記憶部に記憶されている前記複数の画像データの中から前記コラージュ画像を構成する画像データを指定する指定部と、
前記指定部により指定された画像データに基づく画像を当てはめる前記レイアウトの領域を指定する領域指定部と、
前記指定部により指定された画像データに基づいて前記領域指定部により指定された前記レイアウトの領域の形状及び画像の傾斜角度に対応する画像データを生成する画像処理部と、
前記画像処理部により生成された画像データに基づく画像を前記表示部において表示された前記レイアウトの領域に表示させる表示制御部と
を備えることを特徴とする画像表示装置。
【請求項２】
前記レイアウトの領域の全てに前記画像処理部により生成された前記画像が表示された場合に前記コラージュ画像の画像データを記憶する画像記憶部を備えることを特徴とする請求項１記載の画像表示装置。
【請求項３】
前記レイアウトは、前記レイアウトの領域の指定順序に関する情報を有し、
前記領域指定部は、前記指定順序に従って前記レイアウトの領域を指定することを特徴とする請求項１または２記載の画像表示装置。
【請求項４】
被写体を撮影する撮影部を備え、
前記記憶部は、前記撮影部により撮影された画像の画像データを記憶することを特徴とする請求項１〜３のいずれか一項に記載の画像表示装置。
【請求項５】
前記指定部は、前記撮影部による撮影が行われるごとに前記撮影部により撮影された画像の画像データを前記コラージュ画像を構成する画像データとして指定することを特徴とする請求項４記載の画像表示装置。
【請求項６】
前記表示部に指示部材が接触したことを検出するタッチパネルを備え、
前記指定部及び前記領域指定部は、前記タッチパネルによる前記指示部材の接触の検出に基づいて前記画像データの指定、前記レイアウトの領域の指定を行うことを特徴とする請求項１〜５のいずれか一項に記載の画像表示装置。
【発明の詳細な説明】
【技術分野】
【０００１】
本発明は、画像表示装置に関するものである。
【背景技術】
【０００２】
従来、複数の異なる写真画像をテンプレートに当てはめることにより写真画像のレイアウト編集を行うことができる画像レイアウト編集装置が知られている（例えば、特許文献１参照）。この画像レイアウト編集装置によれば、写真画像のレイアウト編集を行うことにより複数の写真画像をコラージュした編集画像を作成することができる。
【先行技術文献】
【特許文献】
【０００３】
【特許文献１】特開２００５−３２３１２５号公報
【発明の概要】
【発明が解決しようとする課題】
【０００４】
ところで、カメラで写真撮影を行う場合、撮影に手慣れたプロカメラマンは、意図的に地面に対して傾けた構図で躍動感のある写真画像を撮影する傾向があるのに対し、撮影に不慣れな初心者は、いわゆる安定した構図（例えば、常に地面に対して水平／垂直な構図）で写真画像を撮影する傾向がある。
【０００５】
このため、上述の画像レイアウト編集装置において、初心者が撮影した写真画像を傾けてテンプレートに当てはめレイアウト編集を行った場合、違和感のある編集画像が作成される場合があった。
【０００６】
本発明の目的は、安定した構図の画像を傾けて編集した場合に違和感のない編集画像を作成することができる画像表示装置を提供することである。
【課題を解決するための手段】
【０００７】
本発明の画像表示装置は、画像を表示する表示部と、複数の画像データを記憶する記憶部と、完成させるコラージュ画像のレイアウトを記憶するレイアウト記憶部と、前記記憶部に記憶されている前記複数の画像データの中から前記コラージュ画像を構成する画像データを指定する指定部と、前記指定部により指定された画像データに基づく画像を当てはめる前記レイアウトの領域を指定する領域指定部と、前記指定部により指定された画像データに基づいて前記領域指定部により指定された前記レイアウトの領域の形状及び画像の傾斜角度に対応する画像データを生成する画像処理部と、前記画像処理部により生成された画像データに基づく画像を前記表示部において表示された前記レイアウトの領域に表示させる表示制御部とを備えることを特徴とする。
【発明の効果】
【０００８】
本発明の画像表示装置によれば、安定した構図の画像を傾けて編集した場合に違和感のない編集画像を作成することができる。
【図面の簡単な説明】
【０００９】
【図１】第１の実施の形態に係るフォトビューワのシステム構成を示すブロック図である。
【図２】第１の実施の形態に係るフォトビューワにおけるコラージュ画像のレイアウトを示す図である。
【図３】第１の実施の形態に係るフォトビューワにおけるＬＣＤ表示部の表示例を示す図である。
【図４】第１の実施の形態に係るフォトビューワにおいて作成中のコラージュ画像を示す図である。
【図５】第１の実施の形態に係るフォトビューワにおいて作成中のコラージュ画像を示す図である。
【図６】第１の実施の形態に係るフォトビューワで作成したコラージュ画像を示す図である。
【図７】第２の実施の形態に係るデジタルカメラのシステム構成を示すブロック図である。
【発明を実施するための形態】
【００１０】
以下、図面を参照して第１の実施の形態に係る画像表示装置についてフォトビューワを例に説明する。図１は、第１の実施の形態に係るフォトビューワ２のシステム構成を示すブロック図である。フォトビューワ２の各部を統括的に制御するＣＰＵ４には、操作部６、ＬＣＤ表示部８に表示される画像の表示制御を行なう表示制御部１０、ＬＣＤ表示部８において指等の接触の位置を検出するタッチパネル１２、フォトビューワ２を用いて作成する複数の画像をつなぎ合わせた画像（以下、コラージュ画像という。）のレイアウトを示すレイアウトデータを記憶するレイアウトメモリ１３、画像データに基づいてコラージュ画像を構成する画像データを生成する画像処理部１５、画像データを記憶するメモリカード１８が接続されている。
【００１１】
ここで、操作部６は、画像の再生を行う再生モードを設定する再生ボタン（不図示）、コラージュ画像を作成する作成モードを設定する画像作成ボタン（不図示）等を備えている。
【００１２】
図２は、第１の実施の形態に係るフォトビューワ２におけるコラージュ画像のレイアウトを示す図である。図２に示すように、コラージュ画像のレイアウト３０は、それぞれ異なる形状を有する８個の領域３０ａ〜領域３０ｈに区分されている。また、レイアウト３０の各領域は、コラージュ画像を作成する場合に画像の傾きを設定する基準となる基準線３２ａ〜基準線３２ｈ（ＬＣＤ表示部８には表示されない。）を有している。即ち、レイアウトデータは、これらの領域３０ａ〜領域３０ｈの形状に関する情報、及び基準線３２ａ〜基準線３２ｈの傾きに関する情報を有している。
【００１３】
次に、第１の実施の形態に係るフォトビューワ２における作成モードの処理について説明する。まず、画像作成ボタンが押下され作成モードが設定されると、ＣＰＵ４は、レイアウトメモリ１３からレイアウトデータを読み出し、図３に示すように、ＬＣＤ表示部８の左側の領域にレイアウトデータに基づくレイアウト３０を表示する。
【００１４】
次に、ＣＰＵ４は、メモリカード１８から複数の画像データを読み出し、図３に示すように、それぞれの画像データに基づく画像をＬＣＤ表示部８の右側の領域に表示する。
【００１５】
ＬＣＤ表示部８の左側の領域にレイアウト３０が表示され、ＬＣＤ表示部８の右側の領域に画像データに基づく画像が表示された状態で、操作者によりコラージュ画像を作成するためのタッチパネル１２の操作が行われる。以下、タッチパネル１２の操作によるコラージュ画像の作成処理について説明する。
【００１６】
まず、操作者の指がＬＣＤ表示部８において画像３４が表示されている位置に接触すると（図３参照）、ＣＰＵ４は、画像３４の画像データをレイアウト３０の所定の領域に当てはめるべき画像の画像データとして特定する。
【００１７】
次に、レイアウト３０の領域３０ａの位置においてＬＣＤ表示部８に接触している指が放され、画像３４がドラッグアンドドロップされると（図２参照）、ＣＰＵ４は、領域３０ａを画像３４を当てはめる領域として特定する。
【００１８】
次に、ＣＰＵ４は、レイアウトデータの有する領域３０ａの基準線３２ａの傾斜角度に関する情報を参照し、画像処理部１５において、基準線３２ａの傾斜角度に対応させて画像データに基づく画像を傾斜させる処理を行い、傾斜した画像の傾斜画像データを生成する。即ち、基準線３２ａに画像３４の底面を一致させるように画像３４を回転させる処理を行い、傾斜した画像の傾斜画像データを生成する。
【００１９】
次に、ＣＰＵ４は、レイアウトデータの有する領域３０ａの形状に関する情報を参照し、傾斜画像データから領域３０ａの形状に対応する形状の画像データ（以下、抽出画像データという）を抽出する。次に、ＣＰＵ４は、図４に示すように、レイアウト３０の領域３０ａにおいて、抽出画像データに基づいて、画像３４に対応する抽出画像３６を表示する。
【００２０】
そして、操作者によるタッチパネル１２の操作が続けて行われ、画像３８がレイアウト３０の領域３０ｂにドラッグアンドドロップされると（図３参照）、ＣＰＵ４は、上述した処理と同様の処理を行い、図５に示すように、レイアウト３０の領域３０ｂに画像３８に対応する抽出画像４０を表示する。さらに、画像４２が領域３０ｃの位置にドラッグアンドドロップされると、ＣＰＵ４は、領域３０ｃに画像４２に対応する抽出画像４４を表示し、画像４６が領域３０ｄの位置にドラッグアンドドロップされると、ＣＰＵ４は、領域３０ｄに画像４６に対応する抽出画像４８を表示する。以下、ＣＰＵ４は、図６に示すコラージュ画像５０が完成するまで、同様の処理を繰り返す。
【００２１】
コラージュ画像５０が完成すると、ＣＰＵ４は、画像処理部１５において、レイアウト３０の領域３０ａ〜３０ｈに表示された各抽出画像の画像データに基づいてコラージュ画像５０の画像データを生成し、メモリカード１８に記憶する。
【００２２】
この第１の実施の形態に係るフォトビューワ２によれば、基準線の傾斜角度に対応させて傾斜させた画像を矩形でない複雑な形状の各領域に当てはめることにより、安定した構図の画像を傾けて編集した場合に違和感のないコラージュ画像を作成することができる。
【００２３】
次に、第２の実施の形態に係る画像表示装置についてデジタルカメラを例に説明する。図７に示すように、この第２の実施の形態に係るデジタルカメラ５２は、第１の実施の形態のフォトビューワ２の構成に被写体を撮影するための撮影部５４、及び撮影部５４から出力された撮像信号から生成された画像データを一時的に記憶するバッファメモリ５６を付加したものである。従って、第１の実施の形態と同一の構成についての詳細な説明は省略し、異なる部分のみについて詳細に説明する。また、第１の実施の形態と同一の構成には同一の符号を付して説明する。
【００２４】
まず、撮影部５４による被写体の撮影を行う撮影モードにおいて画像作成ボタンが押下されると、ＣＰＵ４は、レイアウトメモリ１３からレイアウトデータを読み出し、ＬＣＤ表示部８の一部の領域にレイアウトデータに基づくレイアウト３０を表示する。
【００２５】
次に、ＣＰＵ４は、これから撮影する画像がレイアウト３０のどの領域に当てはめられる画像であるかを撮影者に報知する。例えば、ＣＰＵ４は、レイアウト３０の領域３０ａに星印の画像を表示することにより、これから撮影する画像が領域３０ａに当てはめられる画像であることを報知する。
【００２６】
次に、撮影部５４による被写体の撮影が行われると、ＣＰＵ４は、撮影した画像の画像データを一旦バッファメモリ５６に記憶する。次に、ＣＰＵ４は、バッファメモリ５６から撮影した画像の画像データを読み出し、また、レイアウトデータの有する領域３０ａの基準線３２ａの傾斜角度に関する情報を参照し、画像処理部１５において、基準線３２ａの傾斜角度に対応させて画像データに基づく画像を傾斜させる処理を行い、傾斜した画像の傾斜画像データを生成する。
【００２７】
次に、ＣＰＵ４は、レイアウトデータの有する領域３０ａの形状に関する情報を参照し、傾斜画像データから領域３０ａの形状に対応する形状の抽出画像データを抽出する。次に、ＣＰＵ４は、レイアウト３０の領域３０ａにおいて、抽出画像データに基づいて、撮影した画像に対応する抽出画像３６を表示する（図４参照）。
【００２８】
領域３０ａに抽出画像３６が表示されると、ＣＰＵ４は、領域３０ａに表示されている星印の画像を消去して領域３０ｂに星印の画像を表示する。そして、撮影部５４による被写体の撮影が行われると、撮影した画像に対応する抽出画像３８を領域３０ｂに表示する。以下、ＣＰＵ４は、コラージュ画像５０が完成するまで同様の処理を繰り返す。
【００２９】
次に、コラージュ画像５０が完成すると（図６参照）、ＣＰＵ４は、画像処理部１５において、レイアウト３０の領域３０ａ〜３０ｈに表示された各抽出画像の画像データに基づいてコラージュ画像５０の画像データを生成し、メモリカード１８に記憶する。
【００３０】
この第２の実施の形態に係るデジタルカメラ５２によれば、逐次レイアウトを意識した撮影を行うことができ、撮影者の意図するコラージュ画像を作成することができる。
【００３１】
なお、第２の実施の形態において、第１の実施の形態で説明した処理と同様の処理でコラージュ画像を作成してもよい。例えば、まず、撮影部５４により撮影された画像の画像データを複数メモリカード１８に記憶しておく。次に、再生モードにおいて画像作成ボタンが押下された場合、ＣＰＵ４は、ＬＣＤ表示部８にレイアウト３０及び撮影された画像を表示する。そして、操作者によるタッチパネル１２の操作に従ってコラージュ画像を作成するようにしてもよい。これにより、操作者は、撮影後に余裕を持ってコラージュ画像を作成することができる。
【００３２】
また、第１の実施の形態において、レイアウトデータが各領域の番号に関する情報を有するようにしてもよい。例えば、領域３０ａを「ｎｏ．１」、領域３０ｂを「ｎｏ．２」、領域３０ｃを「ｎｏ．３」、領域３０ｄを「ｎｏ．４」、領域３０ｅを「ｎｏ．５」、領域３０ｆを「ｎｏ．６」、領域３０ｇを「ｎｏ．７」、領域３０ｈを「ｎｏ．８」とする情報をレイアウトデータが有するようにしてもよい。そして、操作者により画像データが特定された場合、レイアウトデータが有する領域の番号に従って、指定された画像データに対応する画像を領域に当てはめて行くようにしてもよい。これにより、画像をドラッグアンドドロップする手間が省け、ＬＣＤ表示部８において画像が表示されている位置に指を順番に接触させるだけで迅速にコラージュ画像を作成することができる。
【００３３】
また、上述の実施の形態において、複数の異なるレイアウトデータをレイアウトメモリ１３に記憶するようにしてもよい。そして、作成モードにおいて、操作者により選択されたレイアウトデータに基づくレイアウトをＬＣＤ表示部８において表示するようにしてもよい。これにより、様々なレイアウトでコラージュ画像を作成することができる。
【００３４】
また、上述の実施の形態においては、静止画像をレイアウトの領域に当てはめてコラージュ画像を作成する場合を例に説明したが、動画像をレイアウトの領域に当てはめることによりコラージュ画像を作成するようにしてもよい。これにより、静止画像を用いた場合と比較して躍動感のあるコラージュ画像を作成することができる。
【００３５】
また、上述の実施の形態において、レイアウト３０の領域に表示された画像の位置や縮小または拡大の倍率を変更できるようにしてもよい。例えば、第１の実施の形態において、レイアウト３０の領域３０ａにおいて抽出画像３６が表示されたとする（図４参照）。この場合、タッチパネル１２の操作により抽出画像３６の位置を上下左右に移動させたり、抽出画像３６の表示倍率を縮小または拡大できるようにしてもよい。これにより、操作者の意図を良好に反映させたコラージュ画像を作成することができる。
【００３６】
また、上述の実施の形態において、レイアウトの領域の個数や形状は上述の例に限定されない。
【００３７】
また、第１の実施の形態においては、タッチパネル１２の操作により画像を当てはめているが、ボタン操作等により画像を当てはめるようにしてもよい。
【００３８】
また、第２の実施の形態においては、画像表示装置についてデジタルカメラを例に説明したが、撮影機能、及びコラージュ画像の作成機能を備えていれば、カメラ付携帯電話等、他の電子機器においても本発明を適用することができる。
【符号の説明】
【００３９】
２…フォトビューワ、４…ＣＰＵ、６…操作部、８…ＬＣＤ表示部、１０…表示制御部、１２…タッチパネル、１３…レイアウトメモリ、１５…画像処理部、１８…メモリカード
【図１】
2013131811.tif 000003
【図２】
2013131811.tif 000004
【図３】
2013131811.tif 000005
【図４】
2013131811.tif 000006
【図５】
2013131811.tif 000007
【図６】
2013131811.tif 000008
【図７】
2013131811.tif 000009